(57)【要約】  ダーツホルダ（１０）であって：−第１の位置付け手段（１）と、−ダーツのバレルがユーザの手で把持されるために接触可能となるよう、少なくともダーツのティップ及び／またはダーツのバレルの一部を、第１の位置付け手段（１）の確立した位置に任意で保持するための、保持手段（３）と、−目標位置にバレルを把持するために、手の少なくとも一部に基準を提供するよう、保持手段（３）に対して第１の位置付け手段（１）に配置された、第１のランディングエリア（４）とを備え、  保持手段（３）は、第１のランディングエリア（４）から少なくとも部分的に第１の位置付け手段（１）を貫通して、第１のランディングエリア（４）の反対側の縦穴端部（３１）まで延びる縦穴（３０）によって形成され、縦穴（３０）には制限基準手段（８）が提供され、ダーツが縦穴（３０）内に挿入されるときに、バレルのティップの制限を画定する、ダーツホルダ（１０）。【選択図】図６Ａ
2019526319.tif 000002
【特許請求の範囲】
【請求項１】
ダーツホルダ（１０）であって、
−第１の位置付け手段（１）と、
−ダーツのバレルがユーザの手で把持されるために接触可能となるよう、少なくともダーツのティップ及び／またはダーツのバレルの一部を、前記第１の位置付け手段（１）の確立した位置に任意で保持するための、保持手段（３）と、
−目標位置にバレルを把持するために、手の少なくとも一部に基準を提供するよう、前記保持手段（３）に対して前記第１の位置付け手段（１）に配置される、第１のランディングエリア（４）と
を備え、
前記保持手段（３）は、前記第１のランディングエリア（４）から少なくとも部分的に前記第１の位置付け手段（１）を貫通して、前記第１のランディングエリア（４）の反対側の縦穴端部（３１）まで延びる縦穴（３０）によって形成され、前記縦穴（３０）には制限基準手段（８）が提供され、ダーツが前記縦穴（３０）内に挿入されるときに、バレルのティップの制限を画定する、ダーツホルダ（１０）。
【請求項２】
前記制限基準手段（８）は、縦穴端部（３１）に、前記第１の位置付け手段（１）の中に延びた開口部（８０）によって形成され、そのため前記縦穴（３０）は貫通穴を形成する、請求項１に記載のダーツホルダ（１０）。
【請求項３】
前記制限基準手段（８）は、止め具手段（８１）で形成される、請求項１に記載のダーツホルダ（１０）。
【請求項４】
前記止め具手段（８１）は、前記縦穴（３０）の長手方向に沿って調整可能である、請求項３に記載のダーツホルダ（１０）。
【請求項５】
止め具調整手段（９１）は、前記第１の位置付け手段（１）の前記縦穴（３０）内に配置され、前記止め具手段（８１）を前記縦穴（３０）に対して位置付けられるよう、前記止め具手段（８１）は前記止め具調整手段（９１）と協働するよう配置される、請求項４に記載のダーツホルダ（１０）。
【請求項６】
前記止め具調整手段（９１）は、互い違いの孔（９２）の配列で形成され、各孔（９２）は前記縦穴（３０）の長手方向に対して横断する中心線に沿って、前記縦穴（３０）を通って延び、前記止め具手段（８１）は、少なくとも１つの前記孔（９２）に配置可能なピン（８１１）によって形成される、請求項５に記載のダーツホルダ（１０）。
【請求項７】
前記止め具調整手段（９１）は、ねじ山などの線条（９３）によって形成され、前記止め具手段（８１）は、ねじボルトなどのボルト（８１２）によって形成され、前記ボルト（８１２）は、前記止め具調整手段（９１）の前記線条（９３）と協働するよう配置される、請求項５に記載のダーツホルダ（１０）。
【請求項８】
−前記第１の位置付け手段（１）と接続可能な、第２の位置付け手段（２）と、
−前記保持手段（３）に対して配置される、前記第２の位置付け手段（２）の第２のランディングエリア（５）であって、前記第１及び第２のランディングエリア（４、５）が、目標位置においてバレルを把持するために、手の少なくとも一部に基準を提供する、第２のランディングエリア（５）と
を備える、請求項１〜７のうちいずれか一項に記載のダーツホルダ（１０）。
【請求項９】
前記第１のランディングエリア（４）及び前記第２のランディングエリア（５）は、互い違いになっている、請求項８に記載のダーツホルダ（１０）。
【請求項１０】
前記第１のランディングエリア（４）及び前記第２のランディングエリア（５）は、前記ダーツホルダ（１０）内にダーツが位置されるときに、手及び／または１本もしくは複数の指が、バレルに沿ってダーツのティップに向かって、またはダーツのティップの方向に、さらに動くのを防止するよう構成される、請求項８または９に記載のダーツホルダ（１０）。
【請求項１１】
ダーツのバレルの長手方向軸に沿って前記ダーツホルダ（１０）内にダーツが位置されたときに、前記ランディングエリア（４、５）の面は、ダーツと交差するよう前記保持手段（３）に対して配置される、請求項８、９、または１０のうちいずれか一項に記載のダーツホルダ（１０）。
【請求項１２】
ダーツのティップの長手方向軸に沿って前記ダーツホルダ（１０）内にダーツが位置されたときに、前記ランディングエリア（４、５）の面は、ダーツと交差するよう前記保持手段（３）に対して配置される、請求項８、９、または１０のうちいずれか一項に記載のダーツホルダ（１０）。
【請求項１３】
前記第１のランディングエリア（４）の面は、前記第２のランディングエリア（５）の面と、前記ダーツホルダ（１０）内にダーツが位置されたときのダーツのティップとの間に位置される、請求項１２に記載のダーツホルダ（１０）。
【請求項１４】
前記第２のランディングエリア（５）の面は、前記第１のランディングエリア（４）の面と、前記ダーツホルダ（１０）内にダーツが位置されたときのダーツのティップとの間に位置される、請求項１２に記載のダーツホルダ（１０）。
【請求項１５】
前記第１のランディングエリア（４）と、前記第２のランディングエリア（５）との間の距離は調整可能である、請求項８〜１４のうちいずれか一項に記載のダーツホルダ（１０）。
【請求項１６】
彼または彼女の好みに従った最良の把持を実現するために、前記第１のランディングエリア（４）と前記第２のランディングエリア（５）との間の距離を調整するための調整手段（６）を備える、請求項１５に記載のダーツホルダ（１０）。
【請求項１７】
前記ランディングエリア（４、５）は、ユーザの指の形状に基づき、ダーツ上で予め規定された把持を可能にするよう、凹型形状を有する、請求項８〜１６のうちいずれか一項に記載のダーツホルダ（１０）。
【請求項１８】
前記ランディングエリア（４）は凹型の窪み（７）を有し、前記保持手段（３）の前記開口部は、前記保持手段（３）の中にダーツが位置されたときに、ダーツのバレルを把持するための固定基準位置を提供するよう、前記ランディングエリア（４）の面の下に位置付けられる、請求項１５に記載のダーツホルダ（１０）。
【請求項１９】
前記ランディングエリア（４）は凸型形状（７）を有し、前記保持手段（３）の前記開口部は、前記保持手段（３）の中にダーツが位置されたときに、ダーツのバレルを把持するための固定基準位置を提供するよう、前記ランディングエリア（４）の面の上に位置付けられる、請求項１５に記載のダーツホルダ（１０）。
【発明の詳細な説明】
【技術分野】
【０００１】
本発明は、ダーツのゲームにおいてダーツを投てきする人に使用される、ダーツホルダに関する。
【背景技術】
【０００２】
ダーツは、小型の矢（ダーツ）をダーツボードに投てきする、投てきゲームの形態である。様々なダーツのゲームに対して、多くの改良がなされてきた。特定の関心が、ダーツの特定のパーツの改良に対して提起されてきた。バレル、シャフト、及びフライトは全て、投てきの均一性に影響を与える。バレル、シャフト、及びフライトの選択は、個人の好み及び投てきスタイルに大きく依存する。ダーツのバレル上の把持位置は、ダーツの飛ぶ軌道及び安定性に影響し得る。したがってダーツのプレイヤーは、ダーツ上の正しい把持位置を見つけるために、練習に多くの時間を費やす。最適な把持位置を見つける助けとなるように、バレルに対する多くの調整がなされてきた。あるバレルは、把持性を改善するために削り取ったパターンを備え、他のバレルは、ダーツ上の最適な指の配置を見つけるのを容易にするために、皿のような形状を備える。ダーツのバレル上におけるこれらのパターン及び形状は、正しい把持位置を見つける指標を提供するが、まだ改良の余地がある。
【発明の概要】
【発明が解決しようとする課題】
【０００３】
本発明の目的は、ダーツのバレル上の正しい把持位置を見つけるための、改善した指標を提供することである。
【課題を解決するための手段】
【０００４】
この目的のために、本発明は：
−第１の位置付け手段と、
−ダーツのバレルが、ユーザの手で把持されるために接触可能となるよう、少なくともダーツのティップ及び／またはダーツのバレルの一部を、第１の位置付け手段の確立された位置に任意で保持するための、保持手段と、
−目標位置でバレルを把持するために、手の少なくとも一部に対する基準を提供するよう、保持手段に対して第１の位置付け手段に配置された、第１のランディングエリアであって、保持手段が、第１のランディングエリアから、第１の位置付け手段を少なくとも部分的に貫通して、第１のランディングエリアの反対側の縦穴端部まで延びた縦穴によって形成され、ダーツが縦穴に挿入されたとき、縦穴に制限基準手段が提供されてバレルのティップの制限を画定する、第１のランディングエリアと
を備える、ダーツホルダに関する。
【０００５】
本発明を例示する目的で、本発明の１つまたは複数の実施形態を図面に示す。しかし、本発明は、図面に示した厳密な配置及び手段に限定されものではないことを理解されたい。
【図面の簡単な説明】
【０００６】
【図１】図１はダーツホルダの等角図である。
【図２】図２はバレルが把持しているダーツを保持する、ダーツホルダの図である。
【図３】図３は鉛筆握りの手によって把持されているダーツを保持する、ダーツホルダの図である。
【図４】図４は複数の凹型の穴を備えるダーツホルダの図である。
【図５Ａ】図５Ａはダーツホルダの第１の位置付け手段の正面図である。
【図５Ｂ】図５Ｂは、図５Ａによるダーツホルダの側面図である。
【図６Ａ】図６Ａはダーツホルダの第１の位置付け手段の正面図である。
【図６Ｂ】図６Ｂは、図６Ａによるダーツホルダの側面図である。
【発明を実施するための形態】
【０００７】
本発明は、請求項１によるダーツホルダに関する。本発明によるダーツホルダは、ダーツのプレイヤーがバレル上の任意の位置で無作為にダーツを把持するのを、少なくとも部分的に防ぐための基準を提供し、それによってダーツの投てきにおいて、より高い精度を実現する。ダーツを位置付け手段の中に入れることができる縦穴には、制限基準手段が提供されて、ダーツのティップが、最深位置へ挿入され得る制限基準手段を越えて移動するのを抑制する。少なくともダーツのティップ、及び／またはダーツのバレルの一部が縦穴に挿入されるとき、ダーツの最深位置が、ティップが制限基準手段に到達することによって決定される。ダーツの最深位置は、ユーザにとって既知である所定の位置に従ってユーザがダーツを把持できるよう、第１の位置付け手段の第１のランディングエリアに対するダーツの基準点を形成する。
【０００８】
一実施形態において、制限基準手段は、縦穴端部に、第１の位置付け手段の中に延びた開口部によって形成され、そのため縦穴は貫通穴を形成する。この方法では、ダーツの最深位置は、第１の位置付け手段の縦穴端部側においてユーザの指を保持する手段によって、検出され得る。第１の位置付け手段の中に延びた開口部の縦穴端部側において、ユーザがダーツのティップを感知したときに、ダーツは最深部に到達しており、それによって前記ダーツのバレルは、第１の位置付け手段に対する所定の位置に従って、ユーザの手によって把持されるよう接触可能となる。
【０００９】
一実施形態において、制限基準手段は止め具手段で形成される。この方法では、ダーツの最深位置は止め具手段で決定され、ダーツまたはダーツのティップが、止め具手段を越えて縦穴内に挿入されるのを防止し、それによって前記ダーツのバレルは、第１の位置付け手段に対する所定の位置に従って、ユーザの手によって把持されるよう接触可能となる。
【００１０】
一実施形態において、止め具手段は、縦穴の長手方向に沿って調整可能である。この方法では、第１の位置付け手段に対するダーツの相対位置は、専用の位置に従って適合され得る。専用の位置は、任意の特定のユーザのために適合、及び／または最適化され、それによって前記ダーツのバレルは、前記任意のユーザの手によって把持されるよう接触可能となる。
【００１１】
一実施形態において、止め具調整手段は、第１の位置付け手段の縦穴内に配置され、止め具手段は、止め具手段を縦穴に対して位置付けられるよう、止め具調整手段と協働するよう配置される。このように、縦穴内に存在する止め具調整手段を使用して、ダーツのティップが制限基準手段を越えて入るのを防止または抑制し、縦穴内に挿入されるダーツの専用の最深位置をもたらす制限基準手段の位置を決定するために、止め具手段を縦穴に対して位置付けてよい。
【００１２】
一実施形態において、止め具調整手段は、互い違いの孔の配列で形成され、各孔は、縦穴の長手方向に対して横断する中心線に沿って縦穴を通って延びる。止め具手段は、少なくとも１つの孔に配置可能なピンによって形成される。この方法で、互い違いの孔の配列は、任意の特定のユーザが好ましい位置でバレルを把持するために、特定のユーザにとって最適にフィットする、第１の位置付け手段に対するダーツの相対位置を選択することを提供する。
【００１３】
一実施形態において、止め具調整手段は、ねじ山などの線条によって形成され、止め具手段は、ねじボルトなどのボルトによって形成される。ボルトは、止め具調整手段の線条と協働するよう配置される。このように、ねじ穴は、連続した可変調整によって、第１の位置付け手段に対するダーツの相対位置を調整して最適化することを、任意の特定のユーザに提供する。調整して最適化された相対位置は、任意の特定のユーザが好ましい位置においてバレルを把持するよう、最適にフィットする位置である。
【００１４】
一実施形態において、ダーツホルダは、
−第１の位置付け手段と接続可能な、第２の位置付け手段と、
−保持手段に対して配置された、第２の位置付け手段の第２のランディングエリアであって、前記第１及び第２のランディングエリアが、目標位置においてバレルを把持するために、手の少なくとも一部に基準を提供する、第２のランディングエリアと
を備える。ダーツホルダは、ダーツのプレイヤーがバレル上の任意の位置で無作為にダーツを把持するのを、少なくとも部分的に防ぐための基準を提供し、それによってダーツの投てきにおいて、より高い精度を実現する。ここでダーツホルダは、接続可能な第１及び第２の位置付け手段を提供する。位置付け手段は、確立した位置にダーツのティップ、及び／またはダーツのバレルの一部を保持するために、保持手段を備える。この方法では、ティップ及び／またはバレル一部を、一定かつ再現できる方法でダーツホルダから出し入れすることができる。ダーツのティップが保持手段の中に入れられると、ダーツのバレルは、ユーザの手で把持されるよう接触可能となる。第１の位置付け手段は、第１のランディングエリアを備え、第２の位置付け手段は、第２のランディングエリアを備える。このようにランディングエリアは、ダーツを保持手段に位置付けたとき、前記ダーツのバレルを目標位置で把持するために、手の少なくとも一部に基準を提供する。ダーツを把持する前に、１本もしくは複数の指、及び／または手の一部は、ランディングエリアに置かれる。このように、把持位置の基準が提供される。
【００１５】
一実施形態において、第１のランディングエリア及び第２のランディングエリアは、ずらされている。この方法では、ダーツを把持する指及び／または手の一部のための基準が提供される。
【００１６】
一実施形態において、第１のランディングエリア及び第２のランディングエリアは、ダーツホルダ内にダーツが位置するときに、手及び／または１本もしくは複数の指が、バレルに沿ってダーツのティップに向かって、またはダーツのティップの方向に、さらに動くのを防止するよう構成される。正しい位置を見つけるために、ユーザは、指及び／または手の一部がランディングエリアに触れるまで、指をダーツのバレルに沿ってスライドさせる。ランディングエリアに到達すると、指及び／または手の一部をさらに動かすことができず、ダーツのバレルを把持する正しい位置に到達する。
【００１７】
一実施形態において、ダーツのバレルの長手方向軸に沿ってダーツホルダ内にダーツが位置されたときに、ランディングエリアの面は、ダーツと交差するよう保持手段に対して配置される。一実施形態において、ランディングエリアは、硬質かつ耐摩耗性の材料で作られる。このようにランディングエリアは、バレルが目標位置で把持されるような、確実で、繰り返し使える基準を提供する。
【００１８】
一実施形態において、ダーツのティップの長手方向軸に沿ってダーツホルダ内にダーツが位置されたときに、ランディングエリアの面は、ダーツと交差するよう保持手段に対して配置される。ダーツのバレルをダーツホルダから把持する際のユーザの好みによっては、ランディングエリアの面を、前記の実施形態で説明したように、バレルの長手方向軸の位置にしてもよく、またはダーツのティップの長手方向軸の位置にしてもよい。ランディングエリアの面は、バレルが目標位置で把持されるような、確実な基準を提供する。
【００１９】
一実施形態において、第１のランディングエリアの面は、第２のランディングエリアの面と、ダーツホルダ内にダーツが位置されたときのダーツのティップとの間に位置される。この位置は、投てき位置にあるときに、バレルの軸の横断方向と同じ方向に指を維持するプレイヤーに好まれるであろう。このように、第１のランディングエリアは、ユーザの人差し指をバレルに対して位置付けるための、人差し指の基準として使用することができ、第２のランディングエリアは、ユーザの中指をバレルに対して位置付けるための、中指の基準として使用することができ、同じ位置で把持するために、ダーツのバレルに対してより安定した手の位置をもたらす。
【００２０】
一実施形態において、第２のランディングエリアの面は、第１のランディングエリアの面と、ダーツホルダ内にダーツが位置されたときのダーツのティップとの間に位置される。この位置は、ダーツを鉛筆握りするプレイヤーに好まれるであろう。このように、第１のランディングエリアは、ダーツを第２の位置付け手段の保持手段に配置させながら、手及び／または１本もしくは複数の指を配置するための基準として使用される。
【００２１】
一実施形態において、第１のランディングエリアと第２のランディングエリアとの間の距離は、調整可能である。この方法では、ユーザの手の少なくとも一部及び／または指に対する、第１のランディングエリアの位置、及び第２のランディングエリアの位置は、調整可能であり、そのため各ユーザは好みの位置に従って、第１のランディングエリアに対する第２のランディングエリアを設置、及び設定することができる。
【００２２】
一実施形態において、ダーツホルダは、第１及び第２の位置付け手段におけるランディングエリアの面を調整するための、調整手段を備える。この方法では、第１の位置付け手段を第２の位置付け手段に固定することができる。調整手段は、限定的ではないが、例えばねじ、ボルト、滑動部、及びばねを備えてもよい。ランディングエリアは、第１及び第２の位置付け手段のランディングエリアの位置を、互いに対して調整するために、ダーツホルダ内にダーツが位置されたときに、ダーツのバレルに沿って保持手段に対して調整することができる。このように、個々の各ユーザは、ユーザ自身の好みに従って最適な把持位置になるよう、第１のランディングエリアと第２のランディングエリアとの間の距離を調整してもよい。
【００２３】
一実施形態において、広いランディングエリアをもたらすために、第１のランディングエリアの面は、第２のランディングエリアの面と同一面である。このように、ダーツホルダを、広いランディングエリアを好む人のために調整することができる。
【００２４】
一実施形態において、ランディングエリアは、ユーザの指の形状に基づいた、ダーツ上の予め規定した把持を可能にするよう、ユーザの指と実質的に同一の形状の凹型形状を有する。凹型形状は、ダーツホルダからダーツのバレルを把持する前に、指を配置するために予め形成した固定基準点を提供する。
【００２５】
一実施形態において、ランディングエリアは凹型の窪みを有し、保持手段の開口部が、ランディングエリアの面の下の位置に配置される。この方法では、ダーツが保持手段内に位置するときにダーツのバレルを把持するための、固定基準位置が提供される。換言すると、ランディングエリアには、ダーツホルダ内に配置されるか、またはダーツホルダの中に突出する凹型の窪みが提供され、この窪みの中で、開口部がダーツのティップを受け取るよう配置される。この方法では、ダーツのティップ近くのバレル端部は、凹型の窪みに接触して止め具要素として働いてよく、ダーツが開口部を通ってさらに挿入されるのを防止して、ダーツが保持手段内に位置されるときにダーツのバレルを把持するための、固定基準位置を提供する。
【００２６】
一実施形態において、ランディングエリアは凸型形状を有し、保持手段の開口部が、ランディングエリアの面の上の位置に配置される。この方法では、ダーツが保持手段内に位置するときにダーツのバレルを把持するための、固定基準位置が提供される。換言すると、ランディングエリアには、ダーツホルダ上に配置されるか、またはダーツホルダから突出する凸型形状が提供され、この凸型形状の中で、開口部がダーツのティップを受け取るよう配置される。この方法では、ダーツのティップ近くのバレル端部は、凸型部に接触して止め具要素として働いてよく、ダーツが開口部を通ってさらに挿入されるのを防止して、ダーツが保持手段内に位置されるときにダーツのバレルを把持するための、固定基準位置を提供する。
【００２７】
異なる図で同じ位置番号を有するアイテムは、同じ構造的特徴及び同じ機能を有するか、または同じシグナルであることに留意されたい。このようなアイテムの機能及び／または構造がすでに説明されている場合、以下ではそれらを繰り返して説明する必要性はない。
【００２８】
上述の一実施形態は、本発明を制限するのではなく例示であり、当業者は多くの代替の実施形態を設計することが可能であることに、留意されたい。
【００２９】
特許請求の範囲では、括弧間に配置された、任意の位置を表わす符号が、請求項を限定するものと解釈するべきではない。動詞「備える（ｃｏｍｐｒｉｓｅ）」及びその活用形の使用は、請求項に記載されたもの以外の要素またはステップの存在を、除外するものではない。要素の前の冠詞「ａ」または「ａｎ」は、このような要素の複数の存在を除外するものではない。いくつかの手段を列挙する、ダーツホルダの請求項において、これらの手段のうちのいくつかは、同一のアイテムのハードウェアによって具現化され得る。特定の手段が、異なる従属請求項に相互に挙げられるという単なる事実は、これらの手段の組み合わせが利益をもたらすために使用できないことを、意味するものではない。
【００３０】
図１は、ダーツホルダ１０の一実施形態である。ダーツホルダ１０は、第１の位置付け手段１及び第２の位置付け手段２を含む。第１の位置付け手段１は、単一の確立した位置にダーツのティップを受け取るための、保持手段３を備える。より良好な把持のため、またはさらには、ダーツを把持する手の予め規定した位置のために、別の指または手の一部を支持するための別の位置付け手段が、第１及び／または第２の位置付け手段に配置されてよい。
【００３１】
保持手段３は、ダーツのティップ及び任意でダーツのバレルの少なくとも一部を受け取るよう、位置付け手段１の中に、または位置付け手段１に沿って延びてもよい。保持手段は、穴、スロット、ノッチ、縦穴、リング、またはダーツホルダの中またはダーツホルダに沿って延びる任意の他の空間などの開口部を備え、ダーツのティップ及び／またはダーツのバレルの一部を、少なくとも部分的に受け取る。第１の位置付け手段１は、第２の位置付け手段２と調整可能に接続される。第１の位置付け手段１は、第１のランディングエリア４を備え、第２の位置付け手段２は、第２のランディングエリア５を備える。任意の別の位置付け手段も同様に、別のランディングエリアを備える。保持手段３に対する、位置付け手段２のランディングエリア５の位置は、調整手段６を介して調整することができる。
【００３２】
図２は、第１の位置付け手段１の保持手段３に、ダーツのティップを受け取り、それによって、第２の位置付け手段２の第２のランディングエリア５に手及び／または指を位置付けて、ダーツのバレルが把持されているところを示す。ダーツの長手方向軸に沿ってダーツホルダ内にダーツが位置されたときに、ランディングエリア５の面は、バレルと交差するよう保持手段３に対して配置される。
【００３３】
図３は、第２の位置付け手段２の保持手段３に、ダーツのティップ及び／またはダーツのバレルの少なくとも一部を受け取り、それによって、人差し指を第２の位置付け手段２の第２のランディングエリア５に位置付けることによって、かつ中指及び／または別の指を第１の位置付け手段１の第１のランディングエリア４に位置付けることによって、ダーツのバレルが把持されているところを示す。ダーツの長手方向軸に沿ってダーツホルダ内にダーツが位置されたときに、ランディングエリア４の面は、ダーツのティップと交差するよう保持手段３に対して配置される。
【００３４】
位置付け手段１及び／または位置付け手段２の、第１のランディングエリア４及び／または第２のランディングエリア５によって画定された面に対して、保持手段３の長手方向によって形成される角度は、３０°〜９０°の範囲で鋭角を形成する。ダーツホルダからダーツを取り出す場合、この鋭角は、ダーツを投てき位置に保持するときに、ダーツのティップを上に向けるのを容易にする。
【００３５】
図４は、ランディングエリア４と保持手段３との間に配置された凹型の窪み７を備える、ダーツホルダを示す。保持手段３の開口部は、ランディングエリア４の面と第１の位置付け手段１の内部との間に位置される。
【００３６】
図５Ａ及び図５Ｂ、ならびに図６Ａ及び図６Ｂは、本発明によるダーツホルダ１０を示す。ダーツホルダ１０自体は、第１の位置付け手段１と；ダーツのバレルがユーザの手によって把持されるよう接触可能になるように、第１の位置付け手段１の確立した位置に、少なくともダーツのティップ及び／またはバレルの一部を任意で保持するための、保持手段３と；保持手段３に対して第１の位置付け手段１に配置され、目標位置でバレルを把持するために、手の少なくとも一部に基準を提供する、第１のランディングエリア４と、を備える。本発明によると、保持手段３は、第１のランディングエリア４から少なくとも部分的に第１の位置付け手段１を貫通して、第１のランディングエリア４の反対側の縦穴端部３１まで延びる縦穴３０によって形成される。縦穴３０には、制限基準手段８が提供されて、ダーツが縦穴３０内に挿入されたときに、バレルのティップの制限を画定する。本発明によるダーツホルダ１０は、任意で図１〜図４で説明した特徴と組み合わせて使用してもよい。しかし、図１〜図４で説明したような特徴を備えるダーツホルダ１０は、図５Ａ、図５Ｂ、図６Ａ、及び図６Ｂで説明したような特徴とは別に提供され得る。すなわち後者のダーツホルダ１０は：
−第１の位置付け手段１と;
−第１の位置付け手段１と接続可能な、第２の位置付け手段２と；
−ダーツのバレルがユーザの手で把持されるために接触可能になるよう、少なくともダーツのティップ及び／またはダーツのバレルの一部を、第１または第２の位置付け手段１のうちの少なくとも一方で確立した位置に任意で保持するための、保持手段３と；
−保持手段３に対して配置され、目標位置においてバレルを把持するために、手の少なくとも一部に基準を提供する、第１の位置付け手段１の第１のランディングエリア４及び第２の位置付け手段２の第２のランディングエリア５と
を備える。このようなダーツホルダは、ダーツのプレイヤーがバレル上の任意の位置で無作為にダーツを把持するのを、少なくとも部分的に防ぐための基準を提供し、それによってダーツの投てきにおいて、より高い精度を実現する。ここでダーツホルダは、接続可能な第１及び第２の位置付け手段を提供する。位置付け手段は、確立した位置にダーツのティップ、及び／またはダーツのバレルの一部を保持するために、保持手段を備える。この方法では、ティップ及び／またはバレルの一部を、一定かつ再現できる方法でダーツホルダから出し入れすることができる。ダーツのティップが保持手段の中に入れられると、ダーツのバレルは、ユーザの手で把持されるよう接触可能となる。第１の位置付け手段は、第１のランディングエリアを備え、第２の位置付け手段は、第２のランディングエリアを備える。このようにランディングエリアは、ダーツを保持手段に位置付けたとき、前記ダーツのバレルを目標位置で把持するための手の少なくとも一部に、基準を提供する。ダーツを把持する前に、１本または複数の指、及び／または手の一部は、ランディングエリアに置かれる。このように、把持位置の基準が提供される。
【００３７】
再び図５Ａ及び図５Ｂを参照すると、これらは、第１の位置付け手段１に確立した位置において、少なくともダーツのティップ及び／またはダーツのバレルの一部を任意で保持するための保持手段３を含んだ、第１の位置付け手段１を備え、それによって前記ダーツのバレルがユーザの手で把持されるために接触可能となる、本発明によるダーツホルダ１０を示す。第１の位置付け手段１の第１のランディングエリア４は、目標位置でバレルを把持するために手の少なくとも一部に基準を提供するよう、保持手段３に対して配置される。保持手段３は、第１のランディングエリア４から、第１の位置付け手段１を少なくとも部分的に貫通して、第１のランディングエリア４の反対側の縦穴端部３１まで延びる、縦穴３０によって形成される。縦穴３０には、制限基準手段８が提供され、ダーツが縦穴３０の中に挿入されたときに、バレルのティップのための制限を画定する。このように、ダーツが位置付け手段１の中に移動できる縦穴３０には、制限基準手段８が提供され、ダーツのティップが、最深位置へ挿入され得る制限基準手段８を越えて移動するのを抑制する。少なくともダーツのティップ、及び／またはダーツのバレルの一部が縦穴３０内に挿入されるとき、ダーツの最深位置は、ティップが制限基準手段８に到達することによって判定される。ダーツの最深位置は、ユーザにとって既知である所定の位置に従って、ユーザがダーツを把持できるよう、第１の位置付け手段１のランディングエリア４に対するダーツの基準点を提供する。
【００３８】
制限基準手段８は、第１の位置付け手段１の中に延びる開口部８０によって、縦穴端部３１に、形成されてよい。本例において、縦穴３０は貫通穴を形成する。使用にあたり、ダーツの最深位置は、第１の位置付け手段１の縦穴端部側３１にユーザの指を保持することによって、検出され得る。第１の位置付け手段１の中へ延びた開口部８０の縦穴端部側３１において、ユーザがダーツのティップを感知したとき、ダーツは最深部に到達しており、それによって前記ダーツのバレルは、第１の位置付け手段１に対する所定の位置に従って、ユーザの手によって把持されるよう接触可能となる。
【００３９】
制限基準手段８は、図５Ａ及び図５Ｂに示す止め具手段８１によって形成され得る。ダーツの最深位置は止め具手段８１で決定され、ダーツまたはダーツのティップが、止め具手段８１を越えて縦穴３０内に挿入されるのを防止し、それによって前記ダーツのバレルは、第１の位置付け手段１に対する所定の位置に従って、ユーザの手によって把持されるよう接触可能となる。本例において、止め具手段８１は、縦穴の長手方向に沿って調整可能である。第１の位置付け手段１のランディングエリア４に対するダーツの相対位置は、専用の位置に従って適合されてよい。専用の位置は、前記ダーツのバレルが任意のユーザの手によって把持されるよう接触可能となるように、任意の特定のユーザのために適合、及び／または最適化される。
【００４０】
図５Ａ及び図５Ｂ、ならびに図６Ａ及び図６Ｂは、第１の位置付け手段１の縦穴３０内に配置された、止め具調整手段９１を示す。止め具手段８１は、止め具調整手段９１と協働するよう配置される。このように、縦穴３０に対して止め具手段８１を位置付けることが可能である。縦穴３０内に存在する止め具調整手段９１を使用して、ダーツのティップが制限基準手段８を越えて移動するのを防止または抑制し、縦穴内に挿入されるダーツの専用の最深位置をもたらす制限基準手段８の位置を決定するよう、縦穴３０に対して止め具手段８１を位置付けてよい。
【００４１】
次に図５Ａ及び図５Ｂを参照すると、止め具調整手段９１が、互い違いの孔９２の配列によって形成されている、ダーツホルダ１０が示される。各孔９２は、縦穴３０の長手方向に対して横断する中心線に沿って、縦穴３０を通って延びる。本例において、止め具手段８１は、孔９２のうちの少なくとも１つに配置され得るピン８１１によって形成される。互い違いの孔の配列は、ピン８１１を適用して制限基準手段８の箇所を決定するための選択を提供する。したがって、任意の特定のユーザに、第１の位置付け手段１の第１のランディングエリア４に対する、ダーツの相対位置を選択することを提供する。その位置は、前記任意の特定のユーザの好みの目標位置でバレルを把持する際に、最適にフィットする位置である。
【００４２】
次に図６Ａ及び図６Ｂを参照すると、止め具調整手段９１が、ねじ山などの線条９３よって形成された、ダーツホルダ１０が示される。止め具手段８１は、例えば図６Ａに示すソケットボルトの形態のねじボルトなど、ボルト８１２によって形成される。ボルト８１２は、縦穴３０に挿入されて止め具調整手段９１の線条９３と協働している状態で示されている。明確にするために、図６Ｂにはボルト８１２は示さない。線条付きの縦穴３０は、任意の特定のユーザに、第１の位置付け手段１の第１のランディングエリア４に対するダーツの相対位置を、連続した可変調整によって調整かつ最適化することを提供する。調整かつ最適化された相対位置は、前記任意の特定のユーザの好ましい目標位置においてバレルを把持するための、最適にフィットする位置である。
【００４３】
上述の実施態形態は、本発明を制限するのではなく例示であり、当業者は多くの代替の実施形態を設計することが可能であることに、留意されたい。
【図１】
2019526319.tif 000003
【図２】
2019526319.tif 000004
【図３】
2019526319.tif 000005
【図４】
2019526319.tif 000006
【図５Ａ】
2019526319.tif 000007
【図５Ｂ】
2019526319.tif 000008
【図６Ａ】
2019526319.tif 000009
【図６Ｂ】
2019526319.tif 000010
【国際調査報告】
2019526319.tif 000011
2019526319.tif 000012